(57)【要約】      （修正有）【課題】指が自由に使える状態で、手首等に装着及び固定させることができる鏡を提供する。【解決手段】腕輪１にアクセサリ用のチエーン、鎖等の連結具２を設け、小さな鏡３に連結し、更に、小さな鏡３にアクセサリ用のチエーン、鎖等の連結具等４を連結し、指輪又はリング５に連結する。【選択図】図３
0003174837.tif 000002
【実用新案登録請求の範囲】
【請求項１】
合成樹脂製、皮製、布製、金属性、非金属性の各種形状で装飾をした帯状の腕輪１を設け、その各種形状で装飾をした腕輪１にアクセサリ用のチエーン、鎖等の連結具２を設けて、各種形状で装飾をした小さな鏡３に連結し、更に各種形状で装飾した小さな鏡３にアクセサリ用のチエーン、鎖等の連結具等４で連結し、そのアクセサリ用のチエーン、鎖等の連結具等４に各種形状で装飾をした指輪又はリング５を連結し、一体化した事を特徴とする腕輪につける鏡。
【請求項２】
合成樹脂製、皮製、布製、金属性、非金属性の各種形状で装飾をした帯状の腕輪に各種形状で装飾をした小さな鏡をチエーン又は鎖等で連結した事を特徴とせる請求項１記載の腕輪につける鏡。
【請求項３】
各種形状で装飾をした腕輪を手首等に通したり巻いたり挟む等して固定し、指輪又はリングを指に差込、鏡を安定化し、１０本の指を自由に使うことを可能にしたことを特徴とする請求項１〜２のどちらか１項に記載の腕輪につける鏡。
【考案の詳細な説明】
【技術分野】
【０００１】  本発明は、手首等に固定できる腕輪で、腕輪は各種材質で帯状体にすることで、手首等に装着でき、腕輪を装着した手首等を動かすことで、化粧時に鏡の位置を自由に移動させることができ、鏡を見ながら、両手の１０本の指を自由に使えることを可能にする腕輪につける鏡に関するものである。
【背景技術】
【０００２】  従来から、鏡を持って、アイメイクやリップラインを引く等の化粧や、コンタクトレンズを直す際等、従来の場合は、鏡を手で持つ為、鏡以外のものを持つ指を使って持つことは難しく、鏡を持っていない手の指だけで、様々な作業を行わざるを得ず、不便だった。また、目の至近距離を引き寄せながら、両手の指を使って化粧等をすることができず、片手だけでのお化粧等は不便を感じる事があり非常に不便だった。そこで、手首、指を動かすことで、鏡の位置を自由に移動させ、鏡を見ながら、両手の１０本の指を自由に使えることを可能にするがのぞまれた、又小さな鏡ものぞまれた。
【先行技術文献】
【特許文献】
【０００３】
【特許文献１】特開２００３−７０８７４号
【特許文献２】実用新案登録第３１００７６７号
【考案の概要】
【考案が解決しようとする課題】
【０００４】  小さな鏡を使用して、口紅を塗ったり化粧する時、アイメイクをしたり、視力の弱い人がコンタクトレンズを直す場合に、小さな鏡を目の至近距離に引き寄せて、鏡を覗きながら両手の指が自由に使える必要性があり、従って、鏡と一体で、手首等に装着する為の帯状の腕輪、又はリング型や各種形状の帯状体等で手首保持具を装着することにより、指が自由に使える状態で、手首等に装着及び固定させることができ、前述の欠点を解決するものである。
【課題を解決するための手段】
【０００５】  本発明は、合成樹脂製、皮製、布製、金属性、非金属性の各種形状で装飾をした腕輪１を、手首等に通したり巻いたり挟む等して固定し、各種形状装飾をした腕輪１にアクセサリ用のチエーン、鎖等の連結具２を各種形状で装飾をした小さな鏡３に連結し、更に各種形状で装飾した小さな鏡３にアクセサリ用のチエーン、鎖等の連結具等４を各種形状で装飾をした指輪又はリング５に連結する。連結された各種形状で装飾をした腕輪１は、手首等に装着及び固定する。従って、各種形状で装飾をした腕輪１を手に装着した状態で、１０本の指を自由に使うことを可能にし、各種形状で装飾をした腕輪１を手首等に装着しているので、手や腕等を動かすだけで、装着している位置を、目の至近距離等、自由な位置に移動することを可能にし、又、指輪又はリング５も１本の指に入れて各種形状で装飾した指輪５で各種形状で装飾した小さな鏡３をささえ各種形状で装飾した小さな鏡３の安定感を保っている。これにより、従来、鏡を持つと片手しか自由にならなかった欠点を解決し、指にはめるため５本の指が全部使え、電車、バス、飛行機、自動車内、振動、ゆれも安心で落下防止にもなり、上記課題を解決している。
【考案の効果】
【０００６】  本発明は、合成樹脂製、皮製、布製、金属性、非金属性の各種形状で装飾をした腕輪を、手首等に通したり巻いたり挟む等して固定し、各種形状装飾をした腕輪にアクセサリ用のチエーン、鎖等の連結具を各種形状で装飾をした小さな鏡に連結し、更に各種形状で装飾した小さな鏡にアクセサリ用のチエーン、鎖等の連結具等を各種装飾した指輪又はリングに連結する。連結された各種形状で装飾をした腕輪は、手首等に装着及び固定する。従って、各種形状で装飾をした腕輪を手に装着した状態で、１０本の指を自由に使うことを可能にし、各種形状で装飾をした腕輪を手首等に装着しているので、手や腕等を動かすだけで、目の至近距離等、自由な位置に移動することを可能にし、又、指輪又はリングも１本の指に入れて各種形状で装飾をした指輪で各種形状で装飾した小さな鏡をささえ各種形状で装飾した小さな鏡の安定感を保っている。従って、目の至近距離にまで近づけて、各種形状で装飾した小さな鏡を覗きながら、両手の全ての指で様々な動作を行えることを可能にした。よって、目のメイクや、口紅のメイクや、視力の弱い人がコンタクトレンズの具合の確認や調節をたやすく行え、生活利便に役立つ発明の効果が期待できる。又、鏡面が使用者の掌側にあって見易いという利点がある上に、安全な使用ができ、化粧が上手にできる等多くの優れた効果が期待できる。
【図面の簡単な説明】
【０００７】
【図１】本発明の小さな鏡を付けた腕輪の斜視図
【図２】本発明の図１の平面図
【図３】本発明の腕輪に鏡と指輪を付けた正面図
【図４】実施例の図面代用写真
【図５】実施例の図面代用写真
【図６】実施例の図面代用写真
【図７】実施例の図面代用写真
【図８】実施例の図面代用写真
【考案を実施するための形態】
【０００８】  本発明の実施形態の説明をする。
本発明の腕輪１は合成樹脂製、皮製、布製、金属性、非金属性の各種形状で装飾をした腕輪を設け、小さな鏡３は、ガラスやアクリルミラー等適宜素材で作った鏡面を、プラスチック、金属性、非金属等適宜素材で装飾をして作った四角形、円形、菱形、楕円等の枠体に装着した小さな鏡３を設け、更に各種形状で装飾をした指輪又はリング５を設ける。そして、腕輪、小さな鏡、指輪又はリングをアクセサリ用のチエーン、鎖等の連結具Ａ、Ｂで連結して図１の腕輪につける鏡を構成する。これにより、腕輪を手首にはめ、指輪又はリングを１本の指に挿入して鏡を安定させ、５本の指を自由に使うことを可能にし、右手と合わせて１０本の指を自由に使うことを可能にし、従って、目の至近距離にまで近づけて、各種形状で装飾した小さな鏡を覗きながら、両手の全ての指で様々な動作を行えることを可能にした。よって、目のメイクや、口紅のメイクや、視力の弱い人がコンタクトレンズの具合の確認や調節をたやすく行え、生活利便に役立、従来の自由にならなかった欠点を無くしたものである。
【符号の説明】
【０００９】（１）各種形状で装飾をした腕輪
（２）アクセサリ用のチエーン、鎖等の連結具Ａ
（３）各種形状で装飾した小さな鏡（各種）
（４）アクセサリ用のチエーン、鎖等の連結具Ｂ
（５）各種装飾をした指輪又はリング
【図１】
0003174837.tif 000003
【図２】
0003174837.tif 000004
【図３】
0003174837.tif 000005
【図４】
0003174837.tif 000006
【図５】
0003174837.tif 000007
【図６】
0003174837.tif 000008
【図７】
0003174837.tif 000009
【図８】
0003174837.tif 000010